(57)【要約】窓ガラスなどの透明板に画像を表示可能な建材を、簡単且つ低コストな構成によって実現する。窓部材（５）は、光透過状態と光非透過状態とに切り替え可能な表示領域（１１ａ）と、該表示領域（１１ａ）の外側に形成された非表示領域としての額縁領域（１１ｂ）と、を有する表示パネル（１１）と、該表示パネルに対し、前記額縁領域（１１ｂ）の少なくとも一部及び該額縁領域（１１ｂ）に隣接する前記表示領域（１１ａ）の少なくとも一部を覆うように配置される透光性カバー（４０）と、窓枠（２）内に平行に保持された一対の窓ガラス（３，３）とを備える。前記透光性カバー（４０）を、前記表示領域（１１ａ）から前記額縁領域（１１ｂ）に向かって厚みが小さくなる形状にする。
2011108334.tif 000002
【特許請求の範囲】
【請求項１】
光透過状態と光非透過状態とに切り替え可能な表示領域と、該表示領域の外側に形成された非表示領域としての額縁領域と、を有する表示パネルと、
前記表示パネルに対し、前記額縁領域の少なくとも一部及び該額縁領域に隣接する前記表示領域の少なくとも一部を覆うように配置されるレンズ部と、
前記表示パネル及びレンズ部を挟み込むように保持枠内に平行に保持された一対の透明板と、を備え、
前記レンズ部は、前記表示領域から前記額縁領域に向かって厚みが小さくなる形状を有している、表示装置付き建材。
【請求項２】
前記額縁領域は、前記表示領域を囲むように形成されていて、
前記レンズ部は、前記額縁領域の全体を覆うように設けられている、請求項１に記載の表示装置付き建材。
【請求項３】
前記レンズ部は、前記表示領域の中央部分を露出するように、枠状に形成されている、請求項２に記載の表示装置付き建材。
【請求項４】
前記レンズ部及び表示パネルを前記保持枠内で支持するように、該レンズ部と保持枠とを接続する支持部をさらに備えている、請求項１から３のいずれか一つに記載の表示装置付き建材。
【請求項５】
前記支持部は、前記レンズ部と保持枠との間に少なくとも２つ設けられている、請求項４に記載の表示装置付き建材。
【請求項６】
前記支持部は、前記レンズ部に対し、前記透明板の表面に直交する方向から見て、該レンズ部を挟んで反対側にそれぞれ接続されている、請求項４または５に記載の表示装置付き建材。
【請求項７】
前記レンズ部は、前記表示パネルの両面にそれぞれ配置される、請求項１から６のいずれか一つに記載の表示装置付き建材。
【請求項８】
前記表示パネルの両面に配置されるレンズ部のうち一方には、該表示パネル側に向かって突出する凸部が設けられていて、
前記レンズ部の他方には、前記凸部と嵌合する嵌合溝部が設けられている、請求項７に記載の表示装置付き建材。
【請求項９】
前記支持部は、該支持部の幅方向の一側の厚みが他側に比べて小さくなるような曲面を有する棒状の部材からなり、
前記表示パネルに接続される配線は、その視認側を前記支持部の幅方向一側によって覆われるように配置される、請求項４から８のいずれか一つに記載の表示装置付き建材。
【請求項１０】
前記曲面は、前記支持部の幅方向両側から中央部分に向かって該支持部の厚みが小さくなるように形成されていて、
前記配線は、その視認側を前記曲面の中央部分によって覆われるように配置される、請求項９に記載の表示装置付き建材。
【請求項１１】
前記レンズ部には、前記表示パネル側の面に、該表示パネルを収納可能な凹部が形成されている、請求項１から１０のいずれか一つに記載の表示装置付き建材。
【請求項１２】
前記レンズ部は、複数の枠部材を互いに接続してなる、請求項１から１１のいずれか一つに記載の表示装置付き建材。
【請求項１３】
前記枠部材には、一方の端部に該枠部材の長手方向に突出する突出部が形成されているとともに、他方の端部に該突出部と嵌合可能な形状を有する嵌合凹部が形成されていて、
前記突出部及び嵌合凹部は、それぞれ、前記枠部材の端部における前記表示パネルと接する側に形成されている、請求項１２に記載の表示装置付き建材。
【請求項１４】
光透過状態と光非透過状態とに切り替え可能な表示領域と、該表示領域の外側に形成された非表示領域としての額縁領域と、を有する表示パネルと、
前記表示パネルに対し、前記額縁領域の少なくとも一部及び該額縁領域に隣接する前記表示領域の少なくとも一部を覆うように配置されるレンズ部と、
前記レンズ部と前記表示パネル及び該レンズ部を挟み込むように配置される一対の透明板を保持するための保持枠とを接続する支持部と、を備える、表示装置。
【発明の詳細な説明】
【技術分野】
【０００１】
本発明は、内蔵された表示装置によって画像を表示可能な建材、及び、該建材内に配置される表示装置に関する。
【背景技術】
【０００２】
従来より、内蔵された表示装置によって画像を表示可能な建材、すなわち表示装置付き建材が知られている。このような表示装置付き建材として、例えば特開平９−２３６７８５号公報に開示されるように、光散乱性を低減させたときに外光が透過するディスプレイを、窓ガラスとして用いる構成が考えられている。
【発明の開示】
【０００３】
ところで、前記特開平９−２３６７８５号公報の構成のように、透光可能な表示パネル（ディスプレイ）をそのまま窓ガラスとして用いると、当該窓ガラスの大きさに応じて様々なサイズの表示パネルを製作する必要があり、コスト等の観点からあまり現実的ではない。
【０００４】
本発明の目的は、表示装置付き建材を、簡単且つ低コストな構成によって実現することにある。
【０００５】
本発明の一側面にかかる表示装置付き建材は、光透過状態と光非透過状態とに切り替え可能な表示領域と、該表示領域の外側に形成された非表示領域としての額縁領域と、を有する表示パネルと、該表示パネルに対し、前記額縁領域の少なくとも一部及び該額縁領域に隣接する前記表示領域の少なくとも一部を覆うように配置されるレンズ部と、前記表示パネル及びレンズ部を挟み込むように保持枠内に平行に保持された一対の透明板と、を備え、前記レンズ部は、前記表示領域から前記額縁領域に向かって厚みが小さくなる形状を有している。
【０００６】
本発明により、表示装置付き建材を、簡単且つ低コストな構成によって実現できる。
【図面の簡単な説明】
【０００７】
【図１】図１は、第１の実施形態にかかる窓部材の概略構成を示す図である。
【図２】図２は、第１の実施形態にかかる表示装置の概略構成を示す図である。
【図３】図３は、第１の実施形態にかかる表示パネルの断面構成を模式的に示す図である。
【図４】図４は、第１の実施形態にかかる表示装置の概略構成を示す分解斜視図である。
【図５】図５は、第１の実施形態にかかるパネル部材の分解斜視図である。
【図６】図６は、第１の実施形態にかかる表示パネルの端部でパネル部材によって光が屈折する様子を示す断面図である。
【図７Ａ】図７Ａは、一方のパネル部材における表示パネル側の構成を示す図である。
【図７Ｂ】図７Ｂは、他方のパネル部材における表示パネル側の構成を示す図である。
【図８Ａ】図８Ａは、第１の実施形態にかかるパネル部材の嵌合部分を拡大して示す斜視図である。
【図８Ｂ】図８Ｂは、第１の実施形態にかかるパネル部材の嵌合部分を拡大して示す斜視図である。
【図９】図９は、第１の実施形態の変形例１にかかるパネル部材の概略構成を示す斜視図である。
【図１０】図１０は、第１の実施形態の変形例２にかかるパネル部材の概略構成を示す分解斜視図である。
【図１１】図１１は、第１の実施形態の変形例３にかかるパネル部材の概略構成を示す分解斜視図である。
【図１２】図１２は、第１の実施形態の変形例４にかかるパネル部材の接続部分の構成を示す斜視図である。
【図１３】図１３は、第２の実施形態にかかる透光性カバーの概略構成を示す分解斜視図である。
【図１４】図１４は、第２の実施形態にかかる支持部で光が屈折する様子を示す断面図である。
【図１５】図１５は、第３の実施形態にかかる透光性カバーの概略構成を示す分解斜視図である。
【図１６】図１６は、第３の実施形態の他の例にかかるパネル部材の概略構成を示す図である。
【図１７】図１７は、第４の実施形態にかかる透光性カバーの概略構成を示す分解斜視図である。
【図１８】図１８は、第４の実施形態の他の例にかかるパネル部材の概略構成を示す図である。
【図１９】図１９は、第５の実施形態にかかる透光性カバーの概略構成を示す分解斜視図である。
【図２０】図２０は、第５の実施形態にかかるパネル部材を、窓枠内に配置した一例を示す図である。
【図２１】図２１は、その他の実施形態にかかるパネル部材を用いた場合に、表示パネルの端部で光が屈折する様子を示す断面図である。
【図２２】図２２は、その他の実施形態にかかるパネル部材を用いた場合に、表示パネルの端部で光が屈折する様子を示す断面図である。
【図２３】図２３は、その他の実施形態にかかるパネル部材を用いた場合に、表示パネルの端部で光が屈折する様子を示す断面図である。
【発明を実施するための形態】
【０００８】
本発明の一実施形態にかかる表示装置付き建材は、光透過状態と光非透過状態とに切り替え可能な表示領域と、該表示領域の外側に形成された非表示領域としての額縁領域と、を有する表示パネルと、該表示パネルに対し、前記額縁領域の少なくとも一部及び該額縁領域に隣接する前記表示領域の少なくとも一部を覆うように配置されるレンズ部と、前記表示パネル及びレンズ部を挟み込むように保持枠内に平行に保持された一対の透明板と、を備え、前記レンズ部は、前記表示領域から前記額縁領域に向かって厚みが小さくなる形状を有している（第１の構成）。
【０００９】
上記の表示装置付き建材では、表示パネルに取り付けられるレンズ部によって、該表示パネルの額縁領域を見えにくくすることができる。また、この表示パネルを光透過状態にすれば、一対の透明板の間に配置された表示パネルを透明化することができ、透明板の向こう側の背景を見ることができる。一方、表示パネルを光非透過状態にすれば、透明板に画像が浮き出たように見える。
【００１０】
したがって、前記レンズ部が取り付けられた表示パネルを一対の透明板の間に配置することにより、該透明板に画像が表示されるかのような効果が得られる。すなわち、上述の構成により、透明板のサイズが変わっても、画像を表示可能な建材を、簡単且つ低コストな構成により実現できる。
【００１１】
ここで、光非透過状態とは、光を散乱させる状態や光を吸収する状態など、光を透過しない全ての状態を含む。また、光非透過状態に切り替えられる範囲は、表示領域の全面であってもよいし、該表示領域の一部であってもよい。
【００１２】
前記第１の構成の表示装置付き建材において、前記額縁領域は、前記表示領域を囲むように形成されていて、前記レンズ部は、前記額縁領域の全体を覆うように設けられているのが好ましい（第２の構成）。
【００１３】
これにより、表示パネルの額縁領域全体をレンズ部によって見えにくくすることができる。したがって、表示パネルによって透明板の向こう側が見えにくくなるのをより確実に防止できる。
【００１４】
前記第２の構成の表示装置付き建材において、前記レンズ部は、前記表示領域の中央部分を露出するように、枠状に形成されているのが好ましい（第３の構成）。このように、表示パネルにおいてレンズ部によって光を屈折させる必要のない中央部分にレンズ部を設けないことで、レンズ部を表示パネルの全面に設ける場合に比べて、レンズ部の軽量化及び材料コストの低減を図れる。
【００１５】
前記第１から第３の構成のうちいずれか一つの構成の表示装置付き建材において、前記レンズ部及び表示パネルを前記保持枠内で支持するように、該レンズ部と保持枠とを接続する支持部をさらに備えていてもよい（第４の構成）。
【００１６】
このようにレンズ部と保持枠とを支持部によって接続することで、接着剤等を用いてレンズ部と保持枠とを接着する場合に比べて、レンズ部を保持枠に対して安定して支持できる。
【００１７】
前記第４の構成の表示装置付き建材において、前記支持部は、前記レンズ部と保持枠との間に少なくとも２つ設けられているのが好ましい（第５の構成）。これにより、２つの支持部によって、レンズ部を保持枠に対してより安定した状態で支持できる。
【００１８】
前記第４または第５の構成の表示装置付き建材において、前記支持部は、前記レンズ部に対し、前記透明板の表面に直交する方向から見て、該レンズ部を挟んで反対側にそれぞれ接続されていてもよい（第６の構成）。こうすることで、レンズ部を保持枠に対してさらに安定した状態で保持することができる。
【００１９】
前記第１から第６の構成のうちいずれか一つの構成の表示装置付き建材において、前記レンズ部は、前記表示パネルの両面にそれぞれ配置されるのが好ましい（第７の構成）。これにより、表示パネルをどちら側から見ても、該表示パネルの額縁領域が透明に見える。したがって、上述の構成の表示パネル及びレンズ部を一対のガラス間に配置することで、より違和感なく住宅やビルなどの窓ガラス等として用いることができる。
【００２０】
前記第７の構成の表示装置付き建材において、前記表示パネルの両面に配置されるレンズ部のうち一方には、該表示パネル側に向かって突出する凸部が設けられていて、前記レンズ部の他方には、前記凸部と嵌合する嵌合溝部が設けられているのが好ましい（第８の構成）。こうすることで、表示パネルの両面上にそれぞれ配置されるレンズ部を、接着剤等を用いることなく容易に接続できる。
【００２１】
前記第４から第８の構成のうちいずれか一つの構成の表示装置付き建材において、前記支持部は、該支持部の幅方向の一側の厚みが他側に比べて小さくなるような曲面を有する柱状の部材からなり、前記表示パネルに接続される配線は、前記支持部の幅方向一側によって覆われるように配置されるのが好ましい（第９の構成）。
【００２２】
これにより、曲面を有する支持部が前記レンズ部と同様の効果を果たすため、表示パネルに接続される配線は、該支持部によって視認されにくくなる。したがって、より違和感なく、一対の透明板間に表示パネルを配置することが可能になる。
【００２３】
前記第９の構成の表示装置付き建材において、前記曲面は、前記支持部の幅方向両側から中央部分に向かって該支持部の厚みが小さくなるように形成されていて、前記配線は、前記曲面の中央部分によって覆われるように配置されるのが好ましい（第１０の構成）。
【００２４】
こうすることで、支持部の幅方向中央部分で、光をより効果的に屈折させることができるため、該幅方向中央に配置した配線をより視認しにくくなる。したがって、さらに違和感なく、一対の透明板間に表示パネルを配置することが可能になる。
【００２５】
前記第１から第１０の構成のうちいずれか一つの構成の表示装置付き建材において、前記レンズ部には、前記表示パネル側の面に、該表示パネルを収納可能な凹部が形成されているのが好ましい（第１１の構成）。これにより、レンズ部によって表示パネルをより確実に保持することができる。
【００２６】
前記第１から第１１の構成のうちいずれか一つの構成の表示装置付き建材において、前記レンズ部は、複数の枠部材を互いに接続してなるのが好ましい（第１２の構成）。こうすることで、枠部材の長さを変えることにより、様々なサイズのレンズ部を構成することが可能となる。
【００２７】
前記第１２の構成の表示装置付き建材において、前記枠部材には、一方の端部に該枠部材の長手方向に突出する突出部が形成されているとともに、他方の端部に該突出部と嵌合可能な形状を有する嵌合凹部が形成されていて、前記突出部及び嵌合凹部は、それぞれ、前記枠部材の端部における前記表示パネルと接する側に形成されているのが好ましい（第１３の構成）。
【００２８】
これにより、複数の枠部材を、突出部と嵌合凹部との嵌合によって互いに接続することができる。しかも、これらの突出部及び嵌合凹部は、それぞれ、枠部材の端部における表示パネルと接する側に形成されているため、該突出部及び嵌合凹部の凹凸によって光が大きく屈折してレンズ部による透明化の効果が低下するのを抑制できる。
【００２９】
本発明の一実施形態にかかる表示装置は、光透過状態と光非透過状態とに切り替え可能な表示領域と、該表示領域の外側に形成された非表示領域としての額縁領域と、を有する表示パネルと、該表示パネルに対し、前記額縁領域の少なくとも一部及び該額縁領域に隣接する前記表示領域の少なくとも一部を覆うように配置されるレンズ部と、該レンズ部と前記表示パネル及び該レンズ部を挟み込むように配置される一対の透明板を保持する保持枠とを接続する支持部と、を備えるものである（第１４の構成）。
【００３０】
以下、本発明の建材の好ましい実施形態について、図面を参照しながら説明する。なお、以下の説明では、表示パネルとして透過型の液晶パネルを用いた場合を例示して説明する。また、各図中の構成部材の寸法は、実際の構成部材の寸法及び各構成部材の寸法比率等を忠実に表したものではない。
【００３１】
［第１の実施形態］
（全体構成）
図１は、本発明の第１の実施形態にかかる窓部材５（表示装置付き建材）の概略構成を示す図である。図１において、本実施形態の窓部材５は、窓枠２（保持枠）内に取り付けられた一対の窓ガラス３，３（透明板）間に表示装置１が配置されたものである。この表示装置１は、光散乱状態と光透過状態とに切り替え可能ないわゆるシースルータイプの液晶表示装置である。
【００３２】
窓枠２は、住宅やビルなどに用いられる一般的な構成の窓枠と同様、窓ガラス３をその外周側で保持可能に構成されている。窓枠２は、一対の窓ガラス３，３間に、表示装置１を配置可能なように、該窓ガラス３，３を離間した状態で保持することができる。窓枠２及び窓ガラス３は、住宅やビルなどに用いられる一般的な窓枠及び窓ガラスと同様であるため、詳しい構成については説明を省略する。ただし、窓ガラス３は、表示装置１の後述する表示パネル１１よりも大きい外形を有する。
【００３３】
窓枠２には、表示装置１の後述する支持部４６〜４９を取り付けるための複数の取付穴２ａが設けられている。この取付穴２ａに対して支持部４６〜４９のボルト穴５１，５２（図２参照）を位置合わせし、該取付穴２ａ及びボルト穴５１，５２にボルトを挿通させた状態で該ボルトをナット等に締結することによって、前記支持部４６〜４９と窓枠２とを接続することができる。なお、この実施形態では、ボルトによって窓枠２と支持部４６〜４９とを接続しているが、この限りではなく、接着材によって窓枠２と支持部４６〜４９とを接着するなど、どのような接続構造であってもよい。
【００３４】
表示装置１は、図２や図４にも示すように、表示パネル１１と、該表示パネル１１に取り付けられた樹脂製の透光性カバー４０（レンズ部）と、該透光性カバー４０に一端側で接続された樹脂製の支持部４６〜４９とを備えている。これらの透光性カバー４０及び支持部４６〜４９の構成については後述する。また、表示装置１には、表示パネル１１の表示を制御する制御装置４が、後述するフレキシブル配線２５などを介して信号を授受可能に接続されている（図１参照）。
【００３５】
（表示パネルの構成）
表示パネル１１は、図３に模式的に断面構造を示すように、多数の画素がマトリクス状に配列されたアクティブマトリクス基板２０と、該アクティブマトリクス基板２０に対向して配置される対向基板３０と、を備えている。表示パネル１１は、アクティブマトリクス基板２０と対向基板３０との間に、光散乱状態と光透過状態とを切り替え可能なＰＤＬＣ（Polymer  Dispersed  Liquid  Crystal；高分子分散型液晶）層１２を備えている。
【００３６】
ＰＤＬＣ層１２は、ポリマー中に液晶がドロップレット状に分散されたものである。このＰＤＬＣ層１２は、電界の印加の有無によって光透過状態と光散乱状態とが切り替わる性質を有している。例えば、表示パネル１１において、ＰＤＬＣ層１２は、電界を印加していないときに光を散乱し、電界が印加されると、光を透過して透明になる。なお、ＰＤＬＣ層１２としては、ＰＮＬＣ（Polymer  Network  Liquid  Crystal）を用いてもよい。また、表示パネル１１において、ＰＤＬＣ層１２が、電界を印加していないときに光を透過して透明になり、電界が印加されると、光を散乱して非透明になってもよい。
【００３７】
アクティブマトリクス基板２０は、ガラス基板等の透明基板上に、複数のＴＦＴ（Thin  Film  Transistor；薄膜トランジスタ、図示省略）、画素電極及び複数の配線（ソース配線、ゲート配線等）などが設けられたものである。なお、ＴＦＴの構成は、従来と同じであるため、説明を省略する。
【００３８】
画素電極は、透明電極であり、例えばＩＴＯ（インジウム錫酸化物）等の透光性を有する導電性材料によって形成されている。画素電極は、画素毎に互いに離間して配置されている。この画素電極によって、画像表示の一単位となる画素が規定される。
【００３９】
特に図示しないが、ＴＦＴのソース電極、ゲート電極及びドレイン電極は、ソース配線、ゲート配線、画素電極にそれぞれ接続されている。ゲート配線及びソース配線を介してＴＦＴに信号を入力し、該ＴＦＴを駆動する点は、従来の液晶表示装置と同じであるため、詳しい説明を省略する。
【００４０】
アクティブマトリクス基板２０には、窓ガラス３の外に配置される制御装置４に一端側で接続されるフレキシブル配線２５の他端側が接続されている（図４参照）。本実施形態では、フレキシブル配線２５は、アクティブマトリクス基板２０の一辺の中央付近に接続されている。なお、図４において、アクティブマトリクス基板２０で周辺回路やシール部等が形成された部分、すなわち後述する額縁領域には、斜線を付している。他の斜視図（図１３、図１５、図１７、図１９）についても同様である。
【００４１】
対向基板３０は、ガラス基板等の透明基板上に、ＩＴＯ等の透明導電膜からなる対向電極などが設けられたものである。
【００４２】
上述のような構成の表示パネル１１では、ＰＤＬＣ層１２に印加する電界、すなわち対向電極と画素電極との間に印加する電圧を制御することにより、該ＰＤＬＣ層１２を光透過状態と光散乱状態とに画素単位で切り替えることができる。すなわち、ＴＦＴによってＰＤＬＣ層１２への電界の印加を制御することにより、表示パネル１１には、光透過領域である透明部と、光散乱領域である散乱部とが選択的に形成される。
【００４３】
また、表示パネル１１は、上述のような透明部または散乱部が選択的に形成されることにより画像が表示される表示領域１１ａと、該表示領域１１ａの外側に設けられた額縁領域１１ｂとを有する（図２参照）。本実施形態の場合、表示領域１１ａは矩形状に形成されていて、その周りを囲むように額縁領域１１ｂが形成されている。この額縁領域１１ｂには、例えば、アクティブマトリクス基板２０と対向基板３０との間を封止するためのシール部や、ソース配線及びゲート配線に信号を出力する駆動回路等が形成されている。したがって、額縁領域１１ｂは、画像が表示されない非表示領域である。
【００４４】
（透光性カバーの構成）
透光性カバー４０は、表示パネル１１の額縁領域１１ｂを覆うように設けられている。この透光性カバー４０は、図２や図４に示すように、一対の矩形状のパネル部材４１，４５からなる。これらのパネル部材４１，４５は、それぞれ透明の樹脂部材であり、表示パネル１１に対して、該表示パネル１１を両面から挟み込むように取り付けられる。
【００４５】
パネル部材４１，４５は、それぞれ、表示パネル１１の各辺に対応する４つの部材からなる。すなわち、パネル部材４１，４５は、ぞれぞれ、図４及び図５に示すように、表示パネル１１の表示領域１１ａの一辺よりも長い柱状の枠部材４２を４本、組み合わせることによって構成される（図５にはパネル部材４１のみを例示）。これにより、パネル部材４１，４５は、それぞれ、中央部分に穴部を有する枠状になる。パネル部材４１，４５をこのような形状にすることで、パネル部材を、表示パネル１１全体を覆うような板状に形成する場合に比べて、パネル部材の軽量化及び材料コストの低減を図れる。なお、図５では、枠部材４２における後述の支持部４６〜４９との接続部分の図示を省略している（以下の実施形態の説明において、パネル部材を示す図についても同様）。
【００４６】
各枠部材４２は、図５に示すように、楕円の略１／４形状の断面を有する棒状の部材である。すなわち、各枠部材４２は、短手方向の一側に向かって徐々に該枠部材４２の厚みが薄くなるような曲面４２ａと、平らな底面４２ｂと、該枠部材４２の短手方向の他側に位置する側面４２ｃと、を有する。各枠部材４２の曲面４２ａは、底面４２ｂ側から入射した光を屈折させるレンズ面として機能する。各枠部材４２の側面４２ｃは、図６に示すように、表示パネル１１に対して直交している。なお、各枠部材４２の側面４２ｃは、光の屈折によって表示領域１１ａの画像が大きく歪まない角度であれば、表示パネル１１に対して斜めに形成されていてもよい。
【００４７】
各枠部材４２は、図５に示すように、平面視で略台形状に形成されている。すなわち、各枠部材４２には、長手方向両端に、それぞれ、平面視で台形の斜線部分を構成する端面４２ｄ，４２ｅが形成されている。これにより、４つの枠部材４２，４２，４２，４２の端面４２ｄ，４２ｅ同士を突き合わせることで、矩形状の枠を構成することができる。
【００４８】
各枠部材４２には、一方の端面４２ｄ上に、枠部材４２の長手方向外方に向かって幅広になる平面視で台形状の突出部４２ｆが設けられている。また、各枠部材４２には、他方の端面４２ｅ上に、他の枠部材４２の突出部４２ｆと嵌合可能な嵌合凹部４２ｇが形成されている。これにより、４つの枠部材４２，４２，４２，４２における突出部４２ｆと嵌合凹部４２ｇとを互いに嵌合させることで、４つの枠部材４２，４２，４２，４２を互いに連結することができる。しかも、上述のように、突出部４２ｆを、枠部材４２の長手方向外方に向かって幅広になる平面視で台形状に形成することで、互いに接続された枠部材４２，４２が離間する方向にずれるのを防止できる。
【００４９】
突出部４２ｆ及び嵌合凹部４２ｇは、図５に示すように、それぞれ、各枠部材４２の端面４２ｄ，４２ｅにおいて、該枠部材４２の底面４２ｂ側、すなわち表示パネル１１と接する側に形成されている。これにより、各枠部材４２の端面４２ｄ，４２ｅにおけるパネル部材４１の視認側（枠部材４２の曲面４２ａ側）に突出部４２ｄや嵌合凹部４２ｅを形成する場合に比べて、該突出部４２ｄや嵌合凹部４２ｅの凹凸による光の屈折への影響が小さくなる。したがって、パネル部材４１によって、表示パネル１１の額縁領域１１ｂをより自然に透明化することができる。
【００５０】
各枠部材４２は、図２に示すように、枠状のパネル部材４１，４５に組み立てられた状態で、表示パネル１１の表示領域１１ａと額縁領域１１ｂとに跨るような大きさに形成されている。すなわち、パネル部材４１，４５は、図６に断面で示すように、表示パネル１１の額縁領域１１ｂだけでなく、表示領域１１ａの外周側も覆っている。
【００５１】
パネル部材４１，４５は、各枠部材４２に上述のような形状の曲面４２ａを設けることで、表示パネル１１上に配置された状態で該表示パネル１１の外側に向かって徐々に該パネル部材４１，４５の厚みが小さくなる断面形状を有している。パネル部材４１，４５をこのような形状にすることで、図６に破線で示すように、表示パネル１１の外部（図中の上方）から額縁領域１１ｂに対して入射される光の一部を、パネル部材４１によって、該表示領域１１ａの外周部分へ向かって斜め方向に屈曲させることができる。
【００５２】
これにより、表示領域１１ａの外周側の画像を、パネル部材４１のうち額縁領域１１ｂを覆う部分に投影することができる。すなわち、上述のようなパネル部材４１を表示パネル１１の外周側に設けることにより、本来存在する額縁領域１１ｂ上のパネル部材４１に表示領域１１ａの外周側を映し出し、該額縁領域１１ｂを見えにくくすることができる。
【００５３】
上述のようなパネル部材４１による効果を、図６を用いて詳しく説明する。図６に示すように、表示領域１１ａの外周側を透過した光は、パネル部材４１に入射し、該パネル部材４１の表面で屈折される。このとき、パネル部材４１は、その表面に表示パネル１１の外側に向かうほど厚みが小さくなる曲面４２ａを有しているので、パネル部材４１に入射した光は、該パネル部材４１の表面で表示パネル１１の表示面に垂直な方向に直進する。これにより、図６に示すように、表示パネル１１の表示領域１１ａの外周側に形成される画像が、額縁領域１１ｂまで拡大したように見える。したがって、表示パネル１１の額縁領域１１ｂは見えにくくなる。図６の破線の上方に、パネル部材４１を介して対象者から見える表示パネル１１の外周部分の画素を模式的に示す。この図からも分かるように、パネル部材４１の表面の曲面４２ａによって、対象者からは非表示領域１１ｂが実際よりも小さく見える。すなわち、パネル部材４１は、レンズ部を構成する。なお、表示パネル１１をパネル部材４５側から見る場合には、該パネル部材４５がパネル部材４１と同じようにレンズ部として機能することにより、表示パネル１１の額縁領域１１ｂが見えにくくなる。
【００５４】
図４及び図７Ａに示すように、一対のパネル部材４１，４５のうち一方のパネル部材４１には、対向する一対の枠部材４２，４２の底面４２ｂ，４２ｂに、それぞれ、２つの凸部４３，４３が枠部材４２の長手方向に並んで設けられている。すなわち、一方のパネル部材４１には、４つの凸部４３，４３，４３，４３が形成されている。各凸部４３は、枠部材４２におけるパネル部材４１の外周側に形成されている。また、各凸部４３は、図８Ａ及び図８Ｂにも示すように、突出端に向かうほど幅広の台形断面を有していて、該凸部４３が形成された枠部材４２の幅方向に延びる柱状に形成されている。
【００５５】
他方のパネル部材４５には、図７Ｂ、図８Ａ及び図８Ｂに示すように、凸部４３が嵌合可能な断面三角形状の嵌合溝部４４ａ，４４ｂが形成されている。具体的には、パネル部材４１が一対の窓ガラス３，３間に立設された状態で、該パネル部材４１の上側に位置する枠部材４２には図７Ｂ及び図８Ａに示す嵌合溝部４４ａが形成されていて、該パネル部材４１の下側に位置する枠部材４２には図７Ｂ及び図８Ｂに示す嵌合溝部４４ｂが形成されている。パネル部材４１の上側の枠部材４２に形成される嵌合溝部４４ａは、凸部４３の長さと同程度の溝長さを有している。パネル部材４１の下側の枠部材４２に形成される嵌合溝部４４ｂは、凸部４３の長さの２倍以上の溝長さを有している。
【００５６】
この構成により、嵌合溝部４４ｂに対して一方の凸部４３を嵌め込んだ後、一対のパネル部材４１，４５を該嵌合溝部４４ｂの長手方向に相対移動させることにより、嵌合溝部４４ａに対して他方の凸部４３を嵌め込むことが可能になる。しかも、一旦、凸部４３と嵌合溝部４４ａ，４４ｂとを嵌合すると、パネル部材４１の自重によって凸部４３と嵌合溝部４４ａ，４４ｂとの嵌合が維持される。したがって、透光カバー４０を立設した状態で、パネル部材４１，４５同士が横方向にずれるのを防止できる。また、凸部４３及び嵌合溝部４４ａ，４４ｂは、それぞれ、パネル部材４１，４５においてレンズ効果の高い外周側に設けられているため、加工時の傷や隙間等もパネル部材４１，４５の光の屈折によって見えにくくすることができる。
【００５７】
（支持部の構成）
図４に示すように、支持部４６，４７は、枠状のパネル部材４１の対向する辺の長手方向中央から外方に向かってそれぞれ延びるように設けられている。また、支持部４８，４９も、同様に、パネル部材４５の対向する辺の長手方向中央から外方に向かってそれぞれ延びるように設けられている。パネル部材４１に設けられた支持部４６及びパネル部材４５に設けられた支持部４８は、パネル部材４１，４５同士を組み合わせた状態で、互いに重なり合う位置に設けられている。また、パネル部材４１に設けられた支持部４７及びパネル部材４５に設けられた支持部４９も、パネル部材４１，４５同士を組み合わせた状態で、互いに重なり合う位置に設けられている。なお、図４において、支持部４６〜４９のボルト穴の図示は省略している。
【００５８】
本実施形態では、パネル部材４１，４５の対向する各辺をそれぞれ構成する２つの枠部材４２，４２に、支持部４６〜４９がそれぞれ接続されている。各支持部４６〜４９と各枠部材４２との接続構造は、上述のパネル部材４１，４５同士の接続構造と同様である。そのため、詳しい構成については特に説明しないが、例えば、支持部４６〜４９に凸部をそれぞれ形成する一方、枠部材４２に嵌合溝部を形成すればよい。
【００５９】
支持部４６〜４９は、枠部材４２と同様の断面を有する柱状に形成されている。すなわち、支持部４６〜４９は、それぞれ、枠部材４２の曲面４２ａと同様の曲面４６ａ〜４９ａと、該枠部材４２の底面４２ｂと同様の底面４６ｂ〜４９ｂとを有している。支持部４６〜４９は、底面４６ｂ〜４９ｂが枠部材４２の底面４２ｂと面一になるように該枠部材４２に接続されている。すなわち、支持部４６〜４９は、それらの曲面４６ａ〜４９ａが、枠部材４２の曲面４２ａ側に位置するように、該枠部材４２に接続されている。
【００６０】
一対の窓ガラス３，３間でパネル部材４１，４５をそれぞれ下方から支持する支持部４７，４９は、アクティブマトリクス基板２０に接続されるフレキシブル配線２５を覆っている。すなわち、一対のパネル部材４１，４５をそれぞれ下側からそれぞれ支持する２つの支持部４７，４９によって、フレキシブル配線２５が挟み込まれている。このフレキシブル配線２５は、枠部材４２と同じレンズ効果を有する支持部４７，４９に対し、光の屈折によってフレキシブル配線２５が見えにくい位置に配置される。すなわち、上述の表示パネル１１における額縁領域１１ｂの場合と同様、フレキシブル配線２５は、支持部４５の厚みが小さい側に配置される。これにより、上述のパネル部材４１，４５と同様、支持部４７，４９でも、フレキシブル配線２５の幅が実際よりも小さく見える。
【００６１】
なお、図２に示すように、支持部４６〜４９の先端側には、窓枠２の取付穴２ａ（図１参照）に対してボルトによって取付可能なように、該ボルトが挿通可能なボルト穴が形成されている。支持部４６，４８に形成されたボルト穴が、図２におけるボルト穴５１を構成し、支持部４７，４９に形成されたボルト穴が、図２におけるボルト穴５２を構成する。
【００６２】
以上の構成により、パネル部材４１，４５によって額縁領域１１ｂは視認されにくくなるため、表示パネル１１を光透過状態にして表示領域１１ａを透明にすると、額縁領域１１ｂ及び表示領域１１ａは透明に見える。しかも、表示パネル１１のアクティブマトリクス基板２０に接続されるフレキシブル配線２５も、パネル部材４１の枠部材４２と同様の構成を有する支持部４７，４９によって、実際よりも幅が小さく見える。したがって、上述の構成により、表示装置１の全体がほぼ透明に見える。
【００６３】
なお、この実施形態では、パネル部材４１，４５における枠部材４２の長手方向中央に、支持部４６〜４９を設けたが、この限りではなく、パネル部材４１，４５及び表示パネル１１を支持できる位置であれば、枠部材４２の長手方向端部など、支持部をどの位置に設けても良い。また、上述の支持部４６〜４９以外にも、強度上、必要と考えられる箇所に複数の支持部を設けてもよい。この際、窓枠２の形状や窓ガラス３，３間に配置される他の表示パネルなどを考慮して支持部を設ければよい。
【００６４】
（第１の実施形態の効果）
本実施形態では、一対の窓ガラス３，３間に、該窓ガラス３よりも外形が小さい額縁領域１１ｂを有する表示装置１を配置することにより、窓部材５を構成した。そして、この表示装置１において、シースルーに構成された表示パネル１１の額縁領域１１ｂを、曲面４２ａを有する透光性カバー４０によって覆った。これにより、表示パネル１１の外周側では、透光性カバー４０によって、表示領域１１ａが実際よりも大きく且つ額縁領域１１ｂが実際よりも小さく見える。したがって、表示パネル１１の額縁領域１１ｂが見えにくくなり、表示パネル１１に画像を表示していない状態では、表示装置１の向こう側が広い範囲で透けて見える。一方、表示パネル１１に画像を表示した場合には、窓ガラス３に画像が映し出されたかのような表示が可能になる。
【００６５】
すなわち、上述のように、透光性カバー４０が取り付けられた表示パネル１１を、一対のガラス窓３，３間に配置することで、透明な窓ガラス３に対して表示装置１を違和感なく配置できる。したがって、様々なサイズの窓ガラス３に表示装置１を配置することが可能となる。よって、従来技術のように窓ガラス３のサイズに合わせて表示装置を製造する必要がなくなり、窓部材全体の製造コストの低減を図れる。
【００６６】
また、表示パネル１１は、一対の窓ガラス３，３間に、支持部４６〜４９によって支持されている。そのため、日光や紫外線が当たったり大きな温度変化が生じたりした場合でも、接着剤等を用いる場合に比べて安定して表示パネル１１を保持できる。さらに、支持部４６，４７をパネル部材４１の上下に設けるとともに，支持部４８，４９をパネル部材４５の上下に設けることにより、振動等が生じた場合でも該パネル部材４１，４５及び表示パネル１１を安定して支持できる。
【００６７】
また、本実施形態では、一方のパネル部材４１に設けられた凸部４３と、他方のパネル部材４５に設けられた嵌合溝部４４ａ、４４ｂとの嵌合によって、２つのパネル部材４１，４５を接続した。これにより、接着剤等を用いることなく簡単な構成で２つのパネル部材４１，４５を接続することができる。
【００６８】
また、本実施形態では、枠部材４２の端面４２ｄに設けられた突出部４２ｆと別の枠部材４２の端面４２ｅに設けられた嵌合凹部４２ｇとを嵌合させることによって、パネル部材４１，４５を構成した。これにより、枠部材４２の長さを変更することによってパネル部材４１，４５のサイズを容易に変更することが可能となる。しかも、突出部４２ｆ及び嵌合凹部４２ｇは、端面４２ｄ，４２ｅにおける各枠部材４２の底面４２ｂ側に形成されているため、該突出部４２ｆ及び嵌合凹部４２ｇによる光の屈折への影響は小さい。したがって、突出部４２ｆ及び嵌合凹部４２ｇを設けても、額縁領域１１ｂの幅が細く見える。
【００６９】
さらに、本実施形態では、パネル部材４１，４５を枠状に形成したため、パネル部材を表示パネル１１の全面を覆うように形成する場合に比べて、パネル部材の軽量化及び材料コストの低減を図れる。
【００７０】
（第１の実施形態の変形例１）
図９に、第１の実施形態の変形例１にかかる透光性カバー６０を示す。この変形例は、透光性カバー６０を構成する一対のパネル部材６１，６５の表示パネル１１側の面に、それぞれ、該表示パネル１１に対応する凹部６２を設けた点で、第１の実施形態の構成とは異なる。なお、図９では、凸部や嵌合溝部の図示を省略する（以下の実施形態において、パネル部材を示す図について同じ）。
【００７１】
パネル部材６１，６５も、第１の実施形態におけるパネル部材４１と同様、ぞれぞれ、曲面６１ａ，６５ａ及び底面６１ｂ，６５ｂを有している。パネル部材６１，６５の底面６１ｂ，６５ｂには、それぞれ、パネル部材６１，６５の内周縁に沿って凹部６２，６２が形成れている。各凹部６２は、パネル部材６１，６５を組み合わせた状態で該凹部６２，６２によって形成される空間内に表示パネル１１を収納可能な大きさに形成されている。また、パネル部材６１，６５の底面６１ｂ，６５ｂ上には、それぞれ、凹部６２，６２の一部からパネル部材６１，６５の曲面６１ａ，６５ａまで延びる開口溝部６３，６３が形成されている。これらの開口溝部６３，６３内には、フレキシブル配線２５が配置される。
【００７２】
この構成により、一対のパネル部材６１，６５にそれぞれ設けられた凹部６２，６２内に表示パネル１１を、開口溝部６３，６３内にフレキシブル配線２５を、それぞれ配置できる。したがって、一対のパネル部材６１，６５間で、表示パネル１１及びフレキシブル配線２５をより確実に保持できる。
【００７３】
なお、この変形例１のように、一対のパネル部材６１，６５の各底面６１ｂ，６５ｂに、それぞれ、凹部６２，６２及び開口溝部６３，６３を設けるのではなく、一方のパネル部材のみに凹部や開口溝部を設けてもよい。
【００７４】
（第１の実施形態の変形例２）
図１０に、第１の実施形態の変形例２にかかる透光性カバーのパネル部材７１を示す。この変形例では、パネル部材７１を構成する枠部材の形状が、第１の実施形態における枠部材４２の形状とは異なる。
【００７５】
具体的には、パネル部材７１は、該パネル部材７１の２つの角部をそれぞれ含む一対の枠部材７２，７２と、該枠部材７２，７２よりも短く且つ角部を含まない一対の枠部材７３，７３とからなる。すなわち、この変形例では、２種類の枠部材７２，７３によってパネル部材７１が構成される。
【００７６】
ところで、第１の実施形態のように、パネル部材を矩形状にした場合、パネル部材の角部分の断面は、直線部分の断面よりも必ず断面積が大きくなる。このような角部分では、光の屈折率が変わるため、当該角部分に枠部材同士の継ぎ目があると、パネル部材を介して見える画像に大きく影響する。
【００７７】
これに対し、本変形例２のように、パネル部材７１の角部分に部材同士の接合部分を設けないことにより、該角部分でパネル部材７１による透明化の効果に極力、影響を与えないようにすることができる。しかも、枠部材７３は、長手方向に同じ断面形状を有しているため、例えば１本の部材から切り出す長さを変えることによって、様々な長さの枠部材７３を容易に得ることができる。
【００７８】
（第１の実施形態の変形例３）
図１１に、第１の実施形態の変形例３にかかる透光性カバーのパネル部材８１を示す。この変形例では、パネル部材８１を構成する枠部材の形状が、第１の実施形態における枠部材４２の形状とは異なる。
【００７９】
具体的には、パネル部材８１は、該パネル部材８１の角部と直線部とが、それぞれ、別の部材によって構成されている。詳しくは、パネル部材８１は、各角部を構成する４つのブロック状の枠部材８２，８２，８２，８２と、各辺を構成する４つの直線状の枠部材８３，８３，８３，８３とからなる。
【００８０】
この構成により、角部を構成する４つの枠部材８２，８２，８２，８２と直線部を構成する４つの枠部材８３，８３，８３，８３とによって、パネル部材８１を形成することができる。これにより、前記変形例２と同様、パネル部材８１の角部分に枠部材同士の接合部がなくなるため、該角部分でパネル部材８１による透明化の効果に極力、影響を与えないようにすることができる。しかも、直線部を構成する枠部材８３は、長手方向に同じ断面形状を有しているため、例えば１本の部材から切り出す長さを変えることによって、様々な長さの枠部材８３を容易に得ることができる。さらに、このように枠部材８３の長さを変えることにより、パネル部材８１のサイズを自由に変更することが可能になる。
【００８１】
（第１の実施形態の変形例４）
図１２に、第１の実施形態の変形例４にかかる透光性カバーの枠部材９１を示す。この変形例にかかる透光性カバーは、ピン９２を用いて枠部材９１，９１同士を接続する点で、第１の実施形態の構成とは異なる。すなわち、この変形例４では、ピン９２を用いて枠部材９１、９１同士を連結する以外、第１の実施形態の構成と同じであり、枠部材９１の形状も、接続構造以外は第１の実施形態における枠部材４２と同様である。
【００８２】
枠部材９１の端面には、ピン９２の一端側を挿入するための嵌合穴９１ａが形成されている。この嵌合穴９１ａも、第１の実施形態における突出部４２ｄや嵌合凹部４２ｅと同様、枠部材９１の端面の底面９１ｂ側に形成される。この嵌合穴９１ａは、ピン９２の長さの約半分の深さを有する。ピン９２は、例えば断面円形状に形成されている。このピン９２の一端側を枠部材９１の嵌合穴９１ａ内に挿入した後、該ピン９２の他端側を別の枠部材９１の嵌合穴９１ａ内に挿入することにより、２つの枠部材９１，９１をピン９２によって接続する。
【００８３】
なお、当然のことながら、この変形例の構成は、前記変形例１から３の各構成に対しても適用することができる。
【００８４】
［第２の実施形態］
図１３に、第２の実施形態にかかる透光性カバー１００の概略構成を示す。この実施形態は、透光性カバー１００を立設した状態で該透光性カバー１００の下側に、第１の実施形態における支持部を２つ並べた形状の支持部１０３を設けた点で、第１の実施形態とは異なる。以下の説明において、実施形態１と同一の構成には同一の符号を付し、異なる部分についてのみ説明する。なお、特に図示しないが、本実施形態における透光性カバー１００を構成するパネル部材１０１，１０５も、第１の実施形態におけるパネル部材４１，４５と同様、それぞれ、４つの枠部材１０２，１０２，１０２，１０２によって構成されている。
【００８５】
具体的には、透光性カバー１００を一対の窓ガラス３，３間で立設させた状態でパネル部材１０１，１０５の下側に、それぞれ、第１の実施形態における支持部と同じ構成を有する２つの部材からなる支持部１０３，１０４を設ける。支持部１０３，１０４は、該２つの部材を厚みが小さい側で互いに接するように並べた形状を有している。すなわち、支持部１０３，１０４は、それぞれ、幅方向の両側から中央部分に向かって徐々に該支持部１０３，１０４の厚みが小さくなるような曲面１０３ａ，１０４ａを有している。これらの曲面１０３ａ，１０４ａは、それぞれ、第１の実施形態における２つの支持部の曲面を、該支持部の厚みが小さい側同士で接続した形状を有している。また、支持部１０３，１０４は、それぞれ、厚みの小さい中央部分にフレキシブル配線２５が位置付けられるように、枠部材１０２の長手方向の中央付近で該枠部材１０２に接続されている。支持部１０３は、パネル部材１０１の枠部材１０２の曲面１０２ａと同じ側に、支持部１０３の曲面１０３ａが位置するように、枠部材１０２に接続されている。また、支持部１０４は、パネル部材１０５の枠部材１０２の曲面１０２ａと同じ側に、支持部１０４の曲面１０４ａが位置するように、枠部材１０２に接続されている。なお、これらの接続構造は、第１の実施形態と同様である。
【００８６】
支持部１０３，１０４とフレキシブル配線２５との位置関係を図１４に示す。この図１４に示すように、支持部１０３，１０４の中央部分の厚みを薄くし、該中央部分にフレキシブル配線２５を配置することで、該フレキシブル配線２５の見える幅は小さくなる。しかも、これらの支持部１０３，１０４に形成された曲面１０３ａ，１０４ａは、第１の実施形態における支持部の曲面を２つ並べた形状を有しているため、第１の実施形態の場合よりもより広い範囲で光が屈曲する。したがって、第１の実施形態の場合よりも、フレキシブル配線２５はさらに幅が小さく見える。ここで、図１４において上側に示す斜線部がフレキシブル配線２５の見える幅に相当する。
【００８７】
この実施形態では、支持部１０３，１０４を、第１の実施形態における支持部を２つ並べたような形状にした。しかしながら、支持部は、該支持部の幅方向の両側から中央部分に向かって該支持部の厚みが小さくなるような曲面を有する形状であれば、どのような形状であってもよい。
【００８８】
なお、この実施形態の構成に対しても、前記第１の実施形態の各変形例に示す構成を適用することができる。
【００８９】
（第２の実施形態の効果）
本実施形態では、支持部１０３，１０５を、第１の実施形態における支持部を厚みが小さい側で互いに接するように２つ並べた形状とした。これにより、支持部１０３，１０５の中央部分に配置されるフレキシブル配線２５を、第１の実施形態の場合よりも視認しにくくすることができる。したがって、窓ガラス３，３の向こう側の背景をより視認しやすい表示装置を得ることができる。
【００９０】
［第３の実施形態］
図１５に、第３の実施形態にかかる透光性カバー１１０の概略構成を示す。この実施形態の構成は、透光性カバー１１０を立設した状態で該透光性カバー１１０の下側の両端に、支持部１１３，１１４，１１６，１１７をそれぞれ設けた点で、第１及び第２の実施形態における構成とは異なる。以下の説明において、第１及び第２の実施形態と同一の構成には同一の符号を付し、異なる部分についてのみ説明する。なお、特に図示しないが、本実施形態における透光性カバー１１０を構成するパネル部材１１１，１１５も、第１の実施形態におけるパネル部材４１と同様、４つの枠部材１１２，１１２，１１２，１１２によって構成されている。
【００９１】
具体的には、透光性カバー１１０を一対の窓ガラス３，３間で立設させた状態のパネル部材１１１，１１５の下側の両角部に、それぞれ、第１の実施形態における支持部４６〜４９と同じ構成を有する支持部１１３，１１４，１１６，１１７を設ける。これらの支持部１１３，１１４，１１６，１１７は、それぞれ、第１の実施形態における支持部４６〜４９の曲面４６ａ〜４９ａと同様の曲面１１３ａ，１１４ａ，１１６ａ，１１７ａを有している。この実施形態でも、パネル部材１１１の枠部材１１２の曲面１１２ａと同じ側に、支持部１１３，１１４の曲面１１３ａ，１１４ａが位置するように、該支持部１１３，１１４は、それぞれ、枠部材１１２に接続されている。また、パネル部材１１５の枠部材１１２の曲面１１２ａと同じ側に、支持部１１６，１１７の曲面１１６ａ，１１７ａが位置するように、該支持部１１６，１１７は、それぞれ、枠部材１１２に接続されている。なお、これらの接続構造は、第１の実施形態と同様である。
【００９２】
パネル部材１１１に接続された支持部１１３とパネル部材１１５に接続された支持部１１６との間には、該支持部１１３，１１６における厚みが小さい側に、フレキシブル配線２５が配置されている。
【００９３】
この実施形態では、透光性カバー１１０を立設した状態でパネル部材１１１，１１５の下側を構成する枠部材１１２，１１２の両端部に、それぞれ支持部１１３，１１４，１１６，１１７を設けた。しかしながら、枠部材１１２，１１２の両端部以外に支持部を設けてもよいし、図１６に簡略化して示すように、パネル部材１１１，１１５の一部を構成する上側の枠部材１１２に２つの支持部１１３，１１３を設けてもよい（図１６にはパネル部材１１１の場合のみを図示）。また、各枠部材１１２に設ける支持部は２つに限らず、３つ以上であってもよい。
【００９４】
なお、この実施形態の構成に対しても、前記第１の実施形態の各変形例に示す構成を適用することができる。
【００９５】
（第３の実施形態の効果）
以上より、パネル部材１１１，１１５の各枠部材１１２に、２つの支持部を設けたため、該パネル部材１１１，１１５及び表示パネル１１を安定して保持することができる。
【００９６】
[第４の実施形態]
図１７に、第４の実施形態にかかる透光性カバー１２０の概略構成を示す。この実施形態は、透光性カバー１２０を立設した状態で該透光性カバー１２０の側方に支持部１２３，１２４，１２６，１２７を設けた点で、第１から第３の実施形態の構成とは異なる。以下の説明において、第１から第３の実施形態と同一の構成には同一の符号を付し、異なる部分についてのみ説明する。なお、特に図示しないが、本実施形態における透光性カバー１２０を構成するパネル部材１２１，１２５も、第１の実施形態におけるパネル部材４１と同様、４つの枠部材１２２，１２２，１２２，１２２によって構成されている。
【００９７】
具体的には、透光性カバー１２０を一対の窓ガラス３，３間で立設させた状態のパネル部材１２１，１２５の側方の対角に、それぞれ、第１の実施形態における支持部４６〜４９と同じ構成を有する支持部１２３，１２４，１２６，１２７を設ける。すなわち、支持部１２３，１２６は、透光性カバー１２０を立設した状態で、パネル部材１２１，１２５の側方の一側の辺を構成する枠部材１２２，１２２の上部に一端側で接続されている。また、支持部１２４，１２７は、透光性カバー１２０を立設した状態で、パネル部材１２１，１２５の側方の他側の辺を構成する枠部材１２２，１２２の下部に一端側で接続されている。支持部１２３，１２４，１２６，１２７は、それぞれ、第１の実施形態における支持部４６〜４９の曲面４６ａ〜４９ａと同様の曲面１２３ａ，１２４ａ，１２６ａ，１２７ａを有している。この実施形態でも、パネル部材１２１の枠部材１２２の曲面１２２ａと同じ側に、支持部１２３，１２４の曲面１２３ａ，１２４ａが位置するように、該支持部１２３，１２４は、枠部材１２２に接続されている。また、パネル部材１２５の枠部材１２２の曲面１２２ａと同じ側に、支持部１２６，１２７の曲面１２６ａ，１２７ａが位置するように、該支持部１２６，１２７は、枠部材１２２に接続されている。なお、これらの接続構造は、第１の実施形態と同様である。
【００９８】
パネル部材１２１に接続される支持部１２４とパネル部材１２５に接続される支持部１２７との間には、それらの支持部１２４，１２７における厚みが小さい側に、フレキシブル配線２５が配置されている。
【００９９】
なお、この実施形態の構成に対しても、前記第１の実施形態の各変形例に示す構成を適用することができる。
【０１００】
この実施形態では、透光性カバー１２０を立設した状態でパネル部材１２１，１２５の一部を構成する側方の枠部材１２２，１２２の端部に、支持部１２３，１２４，１２６，１２７を設けた。しかしながら、枠部材１２２の端部以外に支持部を設けてもよいし、図１８に簡略化して示すように、パネル部材１２１，１２５の一部を構成する側方の枠部材１２２，１２２に、それぞれ２つの支持部１２３，１２３を設けてもよい（図１８にはパネル部材１２１の場合のみを図示）。枠部材１２２に設ける支持部は２つに限らず、３つ以上であってもよい。
【０１０１】
（第４の実施形態の効果）
この実施形態では、透光性カバー１２０を立設した状態でパネル部材１２１，１２５の側方に、支持部１２３，１２４，１２６，１２７をパネル部材１２１，１２５の対角位置に設けた。これにより、振動等によって２枚のパネル部材１２１，１２５が揺れた場合でも、それらのパネル部材１２１，１２５の間に大きな隙間が生じるのを防止できる。すなわち、支持部１２３，１２４，１２６，１２７によってパネル部材１２１，１２５を対角位置で支持できるため、該パネル部材１２１，１２５の傾きを防止できる。これにより、パネル部材１２１，１２５が振動等によって傾いて２つのパネル部材１２１，１２５間に大きな隙間が生じるのを防止できる。
【０１０２】
また、この実施形態の構成であれば、パネル部材１２１，１２５の上下に空間的な余裕がない場合でも、該パネル部材１２１，１２５を側方から支持することができる。したがって、パネル部材１２１，１２５の支持構造の設計自由度の向上を図れる。
【０１０３】
［第５の実施形態］
図１９に、第５の実施形態にかかる透光性カバー１３０の概略構成を示す。この実施形態にかかる透光性カバー１３０は、該透光性カバー１３０を構成する各パネル部材１３１，１３５にそれぞれ一つの支持部を設けた点で、第１から第４の実施形態の構成とは異なる。以下の説明において、第１から第４の実施形態と同一の構成には同一の符号を付し、異なる部分についてのみ説明する。なお、特に図示しないが、本実施形態におけるパネル部材１３１，１３５も、第１の実施形態におけるパネル部材４１と同様、４つの枠部材１３２，１３２，１３２，１３２によって構成されている。
【０１０４】
具体的には、透光性カバー１３０を一対の窓ガラス３，３間に立設した状態でパネル部材１３１，１３５の下側に、それぞれ、支持部１３３，１３６を接続する。この実施形態では、支持部１３３，１３６は、それぞれ、パネル部材１３１，１３５を構成する枠部材１３２，１３２の一方の端部に接続されている。支持部１３３，１３６は、他の実施形態と同様、それぞれ、第１の実施形態における支持部４６〜４９と同じ構成を有している。すなわち、支持部１３３，１３６は、それぞれ、第１の実施形態における支持部４６〜４９の曲面４６ａ〜４９ａと同様の曲面１３３ａ，１３６ａを有している。パネル部材１３１の枠部材１３２の曲面１３２ａと同じ側に、支持部１３３の曲面１３３ａが位置するように、該支持部１３３は、枠部材１３２に接続されている。また、パネル部材１３５の枠部材１３２の曲面１３２ａと同じ側に、支持部１３６の曲面１３６ａが位置するように、該支持部１３６は、枠部材１３２に接続されている。なお、これらの接続構造は、第１の実施形態と同様である。
【０１０５】
パネル部材１３１に接続された支持部１３３とパネル部材１３５に接続された支持部１３６との間には、フレキシブル配線２５が配置されている。このフレキシブル配線２５は、支持部１３３，１３６の厚みが小さい部分に配置されている。これにより、上述の各実施形態と同様、フレキシブル配線２５は、実際よりも幅が小さく見える。
【０１０６】
上述のような構成の透光性カバー１３０を備えた表示装置２００を、一対の窓ガラス３，３内に配置した一例を、図２０に示す。この図２０では、透光性カバー１３０を備えた表示装置２００と、別の透光性カバー１３７を備えた表示装置３００とを、連結部１３８によって互いに連結している。こうすることで、パネル部材１３１に対して一つの支持部１３３しか接続されていない図１９に示す構成でも、窓枠２に対して表示装置２００，３００を安定して保持できる。
【０１０７】
この実施形態では、パネル部材１３１，１３５を構成する下側の枠部材１３２，１３２の端部に支持部１３３，１３６を接続した。しかしながら、支持部１３３，１３６は、パネル部材１３１，１３５を支持できる位置であれば、該パネル部材１３１，１３５のどの位置に接続してもよい。
【０１０８】
なお、この実施形態の構成に対しても、前記第１の実施形態の各変形例に示す構成を適用することができる。
【０１０９】
（第５の実施形態の効果）
以上より、パネル部材１３１，１３５の支持部１３３，１３６をそれぞれ一つにしたことで、透光性カバー１３０の構成を簡素化することができる。これにより、パネル部材に対して複数の支持部を設ける場合に比べて透光性カバー１３０を構成する材料を節約できる。また、このように、支持部の数を少なくした構成であっても、図２０に示すように、他の透光性カバー１３７を備えた表示装置３００と連結することにより、窓枠２内に表示装置２００を安定して配置することが可能である。
【０１１０】
［その他の実施形態］
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【０１１１】
前記各実施形態では、表示パネル１１として液晶パネルを用いている。しかしながら、光透過状態と光散乱状態とに切り替え可能であれば、有機ＥＬパネルなどの他の構成のパネルを表示パネルとして用いてもよい。
【０１１２】
前記各実施形態では、一対の窓ガラス間に表示装置を配置している。しかしながら、表示装置を配置する空間を形成する板は、窓ガラスに限らず、透明な板であればどのような材料からなるものでもよい。すなわち、透明な板は、一般的なケイ酸塩ガラスだけでなく、アクリル板などの樹脂材料や他の物質からなる透明な板をすべて含む。
【０１１３】
前記各実施形態では、支持部の断面形状を、透光性カバーのパネル部材を構成する枠部材と同じ形状にしている。しかしながら、フレキシブル配線２５を覆わない支持部については、その断面を、例えば矩形や円形等、他の断面形状にしてもよい。
【０１１４】
前記各実施形態では、透光性カバーの枠部材の断面形状を楕円の略１／４断面の形状としている。しかしながら、表示パネル１１の額縁領域１１ｂが見えにくくなるレンズ効果が得られる形状であれば、枠部材の断面形状をどのような断面形状にしてもよい。例えば、図２１に示すように、枠部材１４１の表示パネル１１側の面を曲面に形成してもよいし、図２２や図２３に示すように、枠部材１４２，１４３の両面に曲面を形成してもよい。この図２２や図２３に示すように枠部材１４２，１４３の両面に曲面を形成することで、該枠部材１４２，１４３において光が２回屈折することになるため、額縁領域１１ｂの見える幅がより狭くなり、該額縁領域１１ｂがより見えにくくなる。換言すれば、図２２や図２３に示す構成では、額縁領域１１ｂの見える幅を、片面のみに曲面を形成する場合と同程度とすれば、該片面のみに曲面を形成する場合に比べて枠部材の厚みを薄くすることが可能となる。
【０１１５】
前記各実施形態では、パネル部材を支持部によって１点もしくは２点で支持しているが、パネル部材を複数の支持部によって３点または４点で支持してもよい。パネル部材を支持する箇所が増えれば、該パネル部材をより安定して支持することができる。特に、前記各実施形態のようにパネル部材が矩形状の場合には、複数の角部を支持部によって支持するのが好ましい。
【０１１６】
前記各実施形態では、支持部をパネル部材の枠部材とは別体に形成して、該枠部材に接続している。しかしながら、支持部を枠部材と一体形成してもよい。また、前記各実施形態では、パネル部材を複数の枠部材によって構成しているが、この限りではなく、パネル部材を一体形成してもよい。
【０１１７】
前記各実施形態では、凸部４２ｆと嵌合溝部４２ｇ，４２ｈとの嵌合、または、突出部４２ｄと嵌合凹部４２ｅとの嵌合によって、部材同士を接続している。しかしながら、部材同士を接続する構成であれば、例えば接着剤を用いて接着したり、別の部材によって接続したりするなど、どのような構成でもよい。
【０１１８】
前記各実施形態では、アクティブマトリクス基板２０と制御部４とをフレキシブル配線２５によって直接、接続している。しかしながら、窓ガラス内に制御部４と信号の授受を行う通信装置を設け、該通信装置とアクティブマトリクス基板２０とをフレキシブル配線２５によって接続してもよい。
【０１１９】
前記第１から第４の実施形態では、パネル部材に対して上下方向または横方向のいずれか一方のみに支持部を設けている。しかしながら、上下方向及び横方向のうち少なくとも２箇所に支持部を設ければ、どのような位置に支持部を設けてもよい。例えば、パネル部材が矩形状の場合、同一の角部に複数の方向へ延びるように支持部を設けてもよい。
【０１２０】
前記第５の実施形態では、各パネル部材に１本の支持部が接続された構成を、窓枠２内に複数、設けている。しかしながら、第１から第４の実施形態にかかる透光性カバーを備えた表示装置を、窓枠２内に複数設けてもよい。
【産業上の利用可能性】
【０１２１】
本発明による表示装置付き建材は、表示装置を備えた建材として利用可能である。
【図１】
2011108334.tif 000003
【図２】
2011108334.tif 000004
【図３】
2011108334.tif 000005
【図４】
2011108334.tif 000006
【図５】
2011108334.tif 000007
【図６】
2011108334.tif 000008
【図７Ａ】
2011108334.tif 000009
【図７Ｂ】
2011108334.tif 000010
【図８Ａ】
2011108334.tif 000011
【図８Ｂ】
2011108334.tif 000012
【図９】
2011108334.tif 000013
【図１０】
2011108334.tif 000014
【図１１】
2011108334.tif 000015
【図１２】
2011108334.tif 000016
【図１３】
2011108334.tif 000017
【図１４】
2011108334.tif 000018
【図１５】
2011108334.tif 000019
【図１６】
2011108334.tif 000020
【図１７】
2011108334.tif 000021
【図１８】
2011108334.tif 000022
【図１９】
2011108334.tif 000023
【図２０】
2011108334.tif 000024
【図２１】
2011108334.tif 000025
【図２２】
2011108334.tif 000026
【図２３】
2011108334.tif 000027
【国際調査報告】
2011108334.tif 000028
2011108334.tif 000029
2011108334.tif 000030
2011108334.tif 000031